(57)【要約】【課題】  液晶表示パネル用フレキシブル配線板から回路基板に向かって発せられる電気的ノイズを低減することができる上、部品点数を少なくする。【解決手段】  方形枠状のフロントケース１の内側には方形状の板金２の外周部が埋め込まれている。板金２には、プレス加工等により、フレキシブル配線板挿通用開口部３およびノイズ低減用舌片４が形成されている。一端部を液晶表示パネル１４に接続された液晶表示パネル用フレキシブル配線板１６の他端部はフレキシブル配線板挿通用開口部３を挿通されて回路基板８上に接続されている。この場合、ノイズ低減用舌片４の上面にほぼ沿うように配置された液晶表示パネル用フレキシブル配線板１６とその下側の回路基板８との間にはノイズ低減用舌片４が介在されている。ノイズ低減用舌片４は板金２の一部によって形成しているので、それ専用の部品を必要とせず、部品点数を少なくすることができる。【選択図】図１
2013070166.tif 000002
【特許請求の範囲】
【請求項１】
樹脂からなる枠状のケースと、外周部が前記ケースの内側に埋め込まれ、フレキシブル配線板挿通用開口部を有する板金と、前記板金の一面側に設けられた表示パネルと、前記ケース内において前記板金の他面側に設けられた回路基板と、前記表示パネルと前記回路基板とを前記板金のフレキシブル配線板挿通用開口部に挿通されて接続する表示パネル用フレキシブル配線板とを備え、前記板金には前記フレキシブル配線板挿通用開口部の一の内壁面から前記回路基板側に延びるノイズ低減用舌片が設けられ、前記表示パネル用フレキシブル配線板は前記ノイズ低減用舌片に沿うように配置されていることを特徴とする携帯型電子機器。
【請求項２】
請求項１に記載の発明において、前記表示パネルには表示パネル用電子部品が搭載されていることを特徴とする携帯型電子機器。
【請求項３】
請求項１または２に記載の発明において、前記表示パネル上にタッチパネルが設けられ、前記タッチパネルと前記回路基板とを前記板金のフレキシブル配線板挿通用開口部に挿通されて接続するタッチパネル用フレキシブル配線板は前記ノイズ低減用舌片に沿うように配置されていることを特徴とする携帯型電子機器。
【請求項４】
請求項３に記載の発明において、前記タッチパネルにはタッチパネル用電子部品が搭載されていることを特徴とする携帯型電子機器。
【発明の詳細な説明】
【技術分野】
【０００１】
この発明は携帯電話等の携帯型電子機器に関する。
【背景技術】
【０００２】
例えば、従来の携帯電話には、上ケーシングと下ケーシングとの間の上側および下側に液晶表示パネルおよび回路基板がそれぞれ設けられ、液晶表示パネルと回路基板とがフレキシブル配線板を介して電気的に接続されたものがある（例えば、特許文献１参照）。この場合、フレキシブル配線板から回路基板に向かって発せられる電気的ノイズを低減するため、回路基板の上側に金属シートを設けている。
【先行技術文献】
【特許文献】
【０００３】
【特許文献１】特開２００２−２９０５２２号公報
【発明の概要】
【発明が解決しようとする課題】
【０００４】
しかしながら、上記従来の携帯電話では、フレキシブル配線板から回路基板に向かって発せられる電気的ノイズを低減するため、回路基板の上側に金属シートを設けているので、それ専用の部品が必要となり、部品点数が多くなってしまうという問題がある。
【０００５】
そこで、この発明は、フレキシブル配線板から回路基板に向かって発せられる電気的ノイズを低減することができる上、部品点数を少なくすることができる携帯型電子機器を提供することを目的とする。
【課題を解決するための手段】
【０００６】
この発明に係る携帯型電子機器は、樹脂からなる枠状のケースと、外周部が前記ケースの内側に埋め込まれ、フレキシブル配線板挿通用開口部を有する板金と、前記板金の一面側に設けられた表示パネルと、前記ケース内において前記板金の他面側に設けられた回路基板と、前記表示パネルと前記回路基板とを前記板金のフレキシブル配線板挿通用開口部に挿通されて接続する表示パネル用フレキシブル配線板とを備え、前記板金には前記フレキシブル配線板挿通用開口部の一の内壁面から前記回路基板側に延びるノイズ低減用舌片が設けられ、前記表示パネル用フレキシブル配線板は前記ノイズ低減用舌片に沿うように配置されていることを特徴とするものである。
【発明の効果】
【０００７】
この発明によれば、フレキシブル配線板から回路基板に向かって発せられる電気的ノイズを低減することができる上、部品点数を少なくすることができる。
【図面の簡単な説明】
【０００８】
【図１】この発明の一実施形態としての携帯電話の要部の断面図。
【図２】図１に示す板金を含むフロントケースの一部の平面図。
【図３】図１に示す携帯電話のタッチパネル用フレキシブル配線板の部分の断面図。
【発明を実施するための形態】
【０００９】
図１はこの発明の一実施形態としての携帯電話の要部の断面図を示す。この携帯電話はフロントケース１を備えている。フロントケース１はＡＢＳ樹脂等によって方形枠状に形成されている。フロントケース１の内側にはステンレス等からなるほぼ方形状の板金２の外周部がインサート成形により埋め込まれている。この状態では、板金２の外周部を除く上面および下面は露出されている。
【００１０】
図２は図１に示す板金２を含むフロントケース１の一部の平面図を示す。板金の図２における下側（図１における右側）には、ほぼコ字形状の切り込みを入れた後にプレス加工を行うことにより、方形状のフレキシブル配線板挿通用開口部３が形成され、且つ、フレキシブル配線板挿通用開口部３の図２における下内壁面（図１における右内壁面）から図１において下側に延びた後に右下方向に延びるノイズ低減用舌片４が形成されている。
【００１１】
フロントケース１の下面側にはＡＢＳ樹脂等からなる方形状のリアケース５が設けられている。フロントケース１の下面にはリング状の防水用溝６が設けられている。防水用溝６内には、フロントケース１とリアケース５との間を防水するためのパッキン７が設けられている。
【００１２】
フロントケース１とリアケース５との間において板金２の下方には回路基板８が設けられている。リアケース５の所定の箇所にはほぼ方形状の開口部からなる電池収納部９が設けられている。リアケース５の電池収納部９内において回路基板８の下面側には電池パック１０が収納されている。この状態では、電池パック１０は回路基板８に電気的に接続されている。
【００１３】
リアケース５の下面側にはＡＢＳ樹脂等からなる電池カバー１１が取り外し可能に設けられている。リアケース５の下面において電池収納部１０の周囲にはリング状の防水用溝１３が設けられている。防水用溝１３内には、リアケース５と電池カバー１１との間を防水するためのパッキン１３が設けられている。
【００１４】
板金２の上面には液晶表示パネル１４が設けられている。液晶表示パネル１４の上面にはタッチパネル１５が設けられている。液晶表示パネル１４の一端部（図１における左端部）の所定の箇所には液晶表示パネル用フレキシブル配線板１６の一端部が接続されている。液晶表示パネル用フレキシブル配線板１６には液晶表示パネル用電子部品（図示せず）が搭載されている。
【００１５】
液晶表示パネル用フレキシブル配線板１６の他端部側は板金２のフレキシブル配線板挿通用開口部３を挿通されて板金２の下側に配置されている。この状態では、板金２のフレキシブル配線板挿通用開口部３の近傍に存在する液晶表示パネル用フレキシブル配線板１６は板金２のノイズ低減用舌片４の上面にほぼ沿うように配置されている。そして、液晶表示パネル用フレキシブル配線板１６の他端部の図１において下面に設けられたコネクタ１７は、回路基板８の上面の所定の箇所に設けられたコネクタ１８に接続されている。
【００１６】
このように、この携帯電話では、板金２のフレキシブル配線板挿通用開口部３の近傍に存在する液晶表示パネル用フレキシブル配線板１６を板金２のノイズ低減用舌片４の上面にほぼ沿うように配置しているので、板金２のノイズ低減用舌片４の上面にほぼ沿うように配置された液晶表示パネル用フレキシブル配線板１６とその下側の回路基板８との間にはノイズ低減用舌片４が介在され、これにより液晶表示パネル用フレキシブル配線板１６から回路基板８に向かって発せられる電気的ノイズを低減することができる。しかも、この場合、ノイズ低減用舌片４は板金２の一部によって形成しているので、それ専用の部品を必要とせず、部品点数を少なくすることができる。
【００１７】
ここで、図３は図１に示す携帯電話のタッチパネル用フレキシブル配線板の部分の断面図を示す。タッチパネル１５の一端部（図１における左端部）下面の所定の箇所にはタッチパネル用フレキシブル配線板２１の一端部が接続されている。タッチパネル用フレキシブル配線板２１にはタッチパネル用電子部品（図示せず）が搭載されている。
【００１８】
タッチパネル用フレキシブル配線板２１の他端部側は板金２のフレキシブル配線板挿通用開口部３を挿通されて板金２の下側に配置されている。この状態では、板金２のフレキシブル配線板挿通用開口部３の近傍に存在するタッチパネル用フレキシブル配線板２１は板金２のノイズ低減用舌片４の上面にほぼ沿うように配置されている。そして、タッチパネル用フレキシブル配線板２１の他端部の図３において下面に設けられたコネクタ２２は、回路基板８の上面の所定の箇所に設けられたコネクタ２３に接続されている。
【００１９】
このように、この携帯電話では、板金２のフレキシブル配線板挿通用開口部３の近傍に存在するタッチパネル用フレキシブル配線板２１を板金２のノイズ低減用舌片４の上面にほぼ沿うように配置しているので、板金２のノイズ低減用舌片４の上面にほぼ沿うように配置されたタッチパネル用フレキシブル配線板２１とその下側の回路基板８との間にはノイズ低減用舌片４が介在され、これによりタッチパネル用フレキシブル配線板２１から回路基板８に向かって発せられる電気的ノイズを低減することができる。しかも、この場合も、ノイズ低減用舌片４は板金２の一部によって形成しているので、それ専用の部品を必要とせず、部品点数が増加しないようにすることができる。
【００２０】
ところで、板金２にはフレキシブル配線板挿通用開口部３を形成する必要があるが、フレキシブル配線板挿通用開口部３を打ち抜き加工によってただ単に形成した場合には、打ち抜き片がそのまま廃材となってしまう。これに対し、上述の如く、フレキシブル配線板挿通用開口部３を形成するための部分によってノイズ低減用舌片４を形成した場合には、廃材を大幅に削減することができる。
【００２１】
また、液晶表示パネル用フレキシブル配線板１６およびタッチパネル用フレキシブル配線板２１を組み込むとき、各フレキシブル配線板１６、２１の他端部を板金２のフレキシブル配線板挿通用開口部３内にその上側から挿入すると、この挿入されたフレキシブル配線板１６、２１の他端部がノイズ低減用舌片４の上面にガイドされて回路基板８上のコネクタ１８、２３に向かって自然に移動していくので、その分、フレキシブル配線板１６、２１の組み込み作業を容易とすることができる。
【００２２】
なお、上記では、液晶表示パネル用フレキシブル配線板１６とタッチパネル用フレキシブル配線板２１とが互いに重なり合わない場合について説明したが、これに限らず、フレキシブル配線板１６、２１の各一部が互いに重なり合うようにしてもよい。また、この発明は、携帯電話に限らず、ＰＨＳ（Personal Handyphone System）、ＰＤＡ（Personal
Data Assistance, Personal Digital Assistance:個人向け携帯型情報通信機器）等の携帯端末機器等の電子機器にも適用することができる。
【００２３】
以下、この発明の諸態様を付記としてまとめて記載する。
【００２４】
（付記１）
付記１の発明は、樹脂からなる枠状のケースと、外周部が前記ケースの内側に埋め込まれ、フレキシブル配線板挿通用開口部を有する板金と、前記板金の一面側に設けられた表示パネルと、前記ケース内において前記板金の他面側に設けられた回路基板と、前記表示パネルと前記回路基板とを前記板金のフレキシブル配線板挿通用開口部に挿通されて接続する表示パネル用フレキシブル配線板とを備え、前記板金には前記フレキシブル配線板挿通用開口部の一の内壁面から前記回路基板側に延びるノイズ低減用舌片が設けられ、前記表示パネル用フレキシブル配線板は前記ノイズ低減用舌片に沿うように配置されていることを特徴とする携帯型電子機器である。
【００２５】
（付記２）
付記２の発明は、付記１に記載の発明において、前記表示パネルには表示パネル用電子部品が搭載されていることを特徴とする携帯型電子機器である。
【００２６】
（付記３）
付記３の発明は、付記１または２に記載の発明において、前記表示パネル上にタッチパネルが設けられ、前記タッチパネルと前記回路基板とを前記板金のフレキシブル配線板挿通用開口部に挿通されて接続するタッチパネル用フレキシブル配線板は前記ノイズ低減用舌片に沿うように配置されていることを特徴とする携帯型電子機器である。
【００２７】
（付記４）
付記４の発明は、付記３に記載の発明において、前記タッチパネルにはタッチパネル用電子部品が搭載されていることを特徴とする携帯型電子機器である。
【符号の説明】
【００２８】
１  フロントケース
２  板金
３  フレキシブル配線板挿通用開口部
４  ノイズ低減用舌片
５  リアケース
１０  電池パック
１１  電池カバー
１４  液晶表示パネル
１５  タッチパネル
１６  液晶表示パネル用フレキシブル配線板
２１  タッチパネル用フレキシブル配線板
【図１】
2013070166.tif 000003
【図２】
2013070166.tif 000004
【図３】
2013070166.tif 000005